(57)【特許請求の範囲】
【請求項１】
摩擦係数の大きい送りローラと、この送りローラに対して昇降自在に設けられた押えローラとからなり、通帳搬送方向に通帳の１頁の幅より僅かに小さな間隔をもって設けられた２組の搬送兼めくりローラと、
前記搬送兼めくりローラの送りローラをそれぞれ独立に一方向又は他方向の回転をさせる回転駆動手段と、
各対の搬送兼めくりローラの押えローラを送りローラに対して押圧・離間させる押えローラ昇降手段と、
各搬送兼めくりローラの近傍において通帳をその上面から搬送面に対して押圧し、又は押圧を解除する頁押え手段と、
前記各回転駆動手段、前記各押えローラ昇降手段及び前記各頁押え手段を制御する制御手段とを有し、
前記制御手段は、前記回転駆動手段により前記２組の搬送兼めくりローラを同時に共通の一方向に回転させて、頁めくり方向と反対側の頁の端部が第１組の搬送兼めくりローラに挾持され、かつ、前記通帳の綴じ目が第２組の搬送兼めくりローラに挾持される状態になるまで搬送して停止し、第１組の搬送兼めくりローラの回転を継続させて前記通帳のめくられるべき頁を膨らませた後、第１組の搬送兼めくりローラに対応する頁押え手段を駆動させて前記通帳のめくられるべき頁側を前記搬送面に押圧させるとともに、第１組の搬送兼めくりローラに対応するローラ昇降手段により第１組の搬送兼めくりローラの押えローラを送りローラから離間させることにより前記めくられるべき頁を跳ね上げさせ、所定頁数のめくり動作を終了した後に、前記２組の搬送兼めくりローラを前記通帳の綴じ目が第１組の搬送兼めくりローラの方向に搬送されるように回転させる通帳処理装置であって、
前記制御手段は、前記通帳のめくられるべき頁の膨らませを行う際に、第１組の搬送兼めくりローラをめくり方向及びめくり方向と逆方向に、めくり方向の回転量がめくり方向と逆方向の回転量よりも多くなるように、１回又は複数回、回転させることにより、複数枚めくりを防止するようにしたことを特徴とする通帳処理装置。
【請求項２】
摩擦係数の大きい送りローラと、この送りローラに対して昇降自在に設けられた押えローラとからなり、通帳搬送方向に通帳の１頁の幅より僅かに小さな間隔をもって設けられた２組の搬送兼めくりローラと、
前記搬送兼めくりローラの送りローラをそれぞれ独立に一方向又は他方向の回転をさせる回転駆動手段と、
各対の搬送兼めくりローラの押えローラを送りローラに対して押圧・離間させる押えローラ昇降手段と、
各搬送兼めくりローラの近傍において通帳をその上面から搬送面に対して押圧し、又は押圧を解除する頁押え手段と、
前記各回転駆動手段、前記各押えローラ昇降手段及び前記各頁押え手段を制御する制御手段とを有し、
前記制御手段は、前記回転駆動手段により前記２組の搬送兼めくりローラを同時に共通の一方向に回転させて、頁めくり方向と反対側の頁の端部が第１組の搬送兼めくりローラに挾持され、かつ、前記通帳の綴じ目が第２組の搬送兼めくりローラに挾持される状態になるまで搬送して停止し、第１組の搬送兼めくりローラの回転を継続させて前記通帳のめくられるべき頁を膨らませた後、第１組の搬送兼めくりローラに対応する頁押え手段を駆動させて前記通帳のめくられるべき頁側を前記搬送面に押圧させるとともに、第１組の搬送兼めくりローラに対応するローラ昇降手段により第１組の搬送兼めくりローラの押えローラを送りローラから離間させることにより前記めくられるべき頁を跳ね上げさせ、所定頁数のめくり動作を終了した後に、前記２組の搬送兼めくりローラを前記通帳の綴じ目が第１組の搬送兼めくりローラの方向に搬送されるように回転させる通帳処理装置であって、
前記制御手段は、前記通帳のめくられるべき頁の跳ね上げを行う際に、第１組の搬送兼めくりローラをめくり方向及びめくり方向と逆方向に、等回転量をもって回転させることにより、複数枚めくりを防止するようにしたことを特徴とする通帳処理装置。
【請求項３】
摩擦係数の大きい送りローラと、この送りローラに対して昇降自在に設けられた押えローラとからなり、通帳搬送方向に通帳の１頁の幅より僅かに小さな間隔をもって設けられた２組の搬送兼めくりローラと、
前記搬送兼めくりローラの送りローラをそれぞれ独立に一方向又は他方向の回転をさせる回転駆動手段と、
各対の搬送兼めくりローラの押えローラを送りローラに対して押圧・離間させる押えローラ昇降手段と、
各搬送兼めくりローラの近傍において通帳をその上面から搬送面に対して押圧し、又は押圧を解除する頁押え手段と、
前記各回転駆動手段、前記各押えローラ昇降手段及び前記各頁押え手段を制御する制御手段とを有し、
前記制御手段は、前記回転駆動手段により前記２組の搬送兼めくりローラを同時に共通の一方向に回転させて、頁めくり方向と反対側の頁の端部が第１組の搬送兼めくりローラに挾持され、かつ、前記通帳の綴じ目が第２組の搬送兼めくりローラに挾持される状態になるまで搬送して停止し、第１組の搬送兼めくりローラの回転を継続させて前記通帳のめくられるべき頁を膨らませた後、第１組の搬送兼めくりローラに対応する頁押え手段を駆動させて前記通帳のめくられるべき頁側を前記搬送面に押圧させるとともに、第１組の搬送兼めくりローラに対応するローラ昇降手段により第１組の搬送兼めくりローラの押えローラを送りローラから離間させることにより前記めくられるべき頁を跳ね上げさせ、所定頁数のめくり動作を終了した後に、前記２組の搬送兼めくりローラを前記通帳の綴じ目が第１組の搬送兼めくりローラの方向に搬送されるように回転させる通帳処理装置であって、
前記制御手段は、前記通帳のめくられるべき頁の膨らませを行う際に、第１組の搬送兼めくりローラをめくり方向及びめくり方向と逆方向に、めくり方向の回転量がめくり方向と逆方向の回転量よりも多くなるように、１回又は複数回、回転させるとともに、前記通帳のめくられるべき頁の跳ね上げを行う際に、第１組の搬送兼めくりローラをめくり方向及びめくり方向と逆方向に、等回転量をもって回転させることにより、複数枚めくりを防止するようにしたことを特徴とする通帳処理装置。
【発明の詳細な説明】
【０００１】
【発明の属する技術分野】
本発明は、挿入された通帳を機内の所定位置まで搬送し、必要に応じて頁めくりをして、印字処理等を行う通帳処理装置に関する。
【０００２】
【従来の技術】
挿入された通帳を機内の所定位置まで搬送し、必要に応じて頁めくりをして、印字処理等を行う従来の通帳処理装置には、搬送路の途中に頁めくり機構を備えたものがある。
頁めくり機構は、図１０に示すように、頁めくり領域の前後に設けられた通常の搬送ローラ３11，３12の間に、搬送面よりも上側において、ソレノイド等の昇降手段に結合されためくりローラを有してなるものである。めくりローラは、上頁めくり用めくりローラＲａと下頁めくり用めくりローラＲｂの１対が設けられ、それぞれ自由回転方向を異にする一方向クラッチを内蔵している。
そして、搬送ローラ３11，３12をともに回転させたまま、見開き状態の通帳Ｍを搬送手段により頁めくり領域まで搬送し｛図１０（ａ）｝、一方のめくりローラＲａを通帳のめくり頁面に下降押圧した状態で、その通帳をさらにそのめくりローラＲａに向けて移動する｛図１０（ｂ）｝ことにより、めくりローラＲａに摩擦係止されている中紙Ｐｍを十分に撓ませ｛図１０（ｃ）｝、その後、めくりローラＲａを上方に離間させることにより｛図１０（ｄ）｝、その中紙Ｐｍを反転させて｛図１０（ｅ）｝、１頁分の頁めくりを達成するように構成してある。さらに他の頁をめくる場合は、通帳を反対方向（図において左方向）に搬送し、再び（ａ）〜（ｅ）の動作を繰り返す。
【０００３】
【発明が解決しようとする課題】
上記従来の頁めくり機構は、めくりローラと通帳の中紙との間に生じる摩擦力が中紙同志の接触面の間に生じる摩擦力よりも大きいことを利用して、搬送される通帳の最上の中紙を捕捉分離して撓ませるとともに、撓んだ中紙の弾性を利用して反転させるものであるが、従来は１枚をめくるたびに正逆搬送を繰り返す必要があるから、所要頁までめくるまでに長時間かかるという問題があった。
【０００４】
上記の事情に鑑み、本件出願人は、先の特許出願（特願平１０−１６０５３号明細書において、通帳を一定位置に停止したまま所定頁まで連続的にめくることができるようにした、次のような通帳処理装置を提案した。
すなわち、摩擦係数の大きい送りローラと、この送りローラに対して昇降自在に設けられた押えローラとからなり、通帳搬送方向に通帳の１頁の幅より僅かに小さな間隔をもって設けられた２組の搬送兼めくりローラと、前記搬送兼めくりローラの送りローラをそれぞれ独立に一方向又は他方向の回転をさせる回転駆動手段と、各対の搬送兼めくりローラの押えローラを送りローラに対して押圧・離間させる押えローラ昇降手段と、各搬送兼めくりローラの近傍において通帳をその上面から搬送面に対して押圧し、又は押圧を解除する頁押え手段と、前記各回転駆動手段、前記各押えローラ昇降手段及び前記各頁押え手段を制御する制御手段とを有し、前記制御手段は、前記回転駆動手段により前記２組の搬送兼めくりローラを同時に共通の一方向に回転させて、頁めくり方向と反対側の頁の端部が第１組の搬送兼めくりローラに挾持され、かつ、前記通帳の綴じ目が第２組の搬送兼めくりローラに挾持される状態になるまで搬送して停止し、第１組の搬送兼めくりローラの回転を継続させて前記通帳のめくられるべき頁を膨らませた後、第１組の搬送兼めくりローラに対応する頁押え手段を駆動させて前記通帳のめくられるべき頁側を前記搬送面に押圧させるとともに、第１組の搬送兼めくりローラに対応する押えローラ昇降手段により第１組の搬送兼めくりローラの押えローラを送りローラから離間させることにより前記めくられるべき頁を跳ね上げさせ、所定頁数のめくり動作を終了した後に、前記２組の搬送兼めくりローラを前記通帳の綴じ目が第１組の搬送兼めくりローラの方向に搬送されるように回転させる通帳処理装置である。
【０００５】
しかしながら、そのような頁めくり機構を備えた通帳処理装置には、ユーザにより、中紙の腰の強弱の程度が種々異なる複数種類の通帳が挿入される場合がある。中紙の腰が強い通帳の場合は、搬送兼めくりローラからめくり方向の力を与えられてめくられるべき頁が弓状に膨らまされる（撓む）際に、他の頁からよく分離されるので、複数枚めくりが発生することはないが、中紙の腰が弱い通帳の場合は、めくられるべき頁が弓状に膨らまされる際に、２枚目あるいはさらに３枚目までが追従して膨らみ、あるいは、膨らまされた頁が続いて跳ね上げられる際に、２枚目以降の頁が追従して跳ね上がって、複数枚めくりがされることが、まれに起きる。
本発明は、上記の点に鑑みなされたものであり、その課題は、通帳を一定位置に停止させたまま、所定頁まで連続的にめくることができるようにした通帳処理装置において、複数枚めくりを確実に防止できるようにすることにある。
【０００６】
【課題を解決するための手段】
上記課題を解決するため、本発明による通帳処理装置は、上記提案に係る通帳処理装置において、制御手段が、前記通帳のめくられるべき頁の膨らませを行う際に、第１組の搬送兼めくりローラをめくり方向及びめくり方向と逆方向に、めくり方向の回転量がめくり方向と逆方向の回転量よりも多くなるように、１回又は複数回、回転させることにより、複数枚めくりを防止するようにしたことを特徴としている。
上記構成により、第１組の搬送兼めくりローラのめくり方向の回転と逆方向の回転を少なくとも１回、好ましくは複数回行うことにより、言わば扱きをされるため、めくり頁に付着している他の中紙がめくられるべき頁から分離され、複数枚めくりが防止される。
【０００７】
前記制御手段は、通帳のめくり頁の膨らませの際は、上記提案に係る通帳処理装置の場合と同様に第１組の搬送兼めくりローラのめくり方向の回転のみとし、前記通帳のめくられるべき頁の跳ね上げを行う際に、第１組の搬送兼めくりローラをめくり方向及びめくり方向と逆方向に、等回転量をもって回転させることにより、複数枚めくりを防止するように構成することもできる。
このような構成とした場合は、複数枚が膨らまされた場合に、２枚目以上の中紙は第１組の搬送兼めくりローラの方向に戻され、複数枚めくりが防止される。
【０００８】
さらに、前記制御手段は、通帳のめくられるべき頁の膨らませを行う際に、第１組の搬送兼めくりローラをめくり方向及びめくり方向と逆方向に、めくり方向の回転量がめくり方向と逆方向の回転量よりも多くなるように、１回又は複数回、回転させるとともに、前記通帳のめくられるべき頁の跳ね上げを行う際に、第１組の搬送兼めくりローラをめくり方向及びめくり方向と逆方向に等回転量をもって回転させることが望ましい。
上記構成により、めくられるべき頁を膨らませる際は、扱き動作により２枚目以上の中紙が分離される。また、跳ね上げる際は、２枚目以上の膨らませられた場合の中紙が第１組の搬送兼めくりローラの方向に戻され、複数枚めくりがより確実に防止される。
【０００９】
【発明の実施の形態】
次に、本発明の実施の形態について、図面に基づいて説明する。
図１は本発明の通帳処理装置の要部の構成を概略的に示す構成図、図２は同装置の通帳めくり機構による表紙めくり動作の説明図、図３は制御部による制御動作を説明するフローチャート、図４はタイミングチャートである。
【００１０】
図１において、通帳処理装置の通帳挿入排出口１の内側に、通帳の挿入又は通帳の排出を検知するための検知器Ｓ１が設けてある。検知器Ｓ１のさらに内側に通帳搬送用の搬送路２が形成してあり、その搬送面に沿って送りローラａと押えローラｂの組合わせからなる複数組の搬送ローラ３１  ，３２  ，３３  …が所定の間隔をもって配設されている。これらの搬送ローラ３１  ，３２  ，３３  …は、搬送モータＭ１により回転駆動されるようになっている。
そして、搬送路の途中に、送りローラＡと押えローラＢの組合わせからなる２組の搬送兼めくりローラ４１  ，４２  が、搬送方向に通帳の１頁の幅（搬送方向長さ）よりも僅かに小さな間隔をもって配設されている。搬送兼めくりローラ４１  ，４２  は、通帳の搬送動作のほか、重要な作用である通帳のめくり動作を行うものであるので、第一に、その送りローラＡは、搬送ローラ３１  ，３２  …の送りローラａよりも、通帳の紙面に対する摩擦力が大きい材料で作られ、又は表面構造を有しており、第二に、搬送モータＭ１から独立した回転駆動手段である搬送兼めくりモータＭ２により回転駆動されるようになっている。以下、搬送兼めくりローラ４１  ，４２  を、便宜的にめくりローラという。
また、めくりローラ４１  ，４２  は、正転、逆転又は停止を同時又は各別に行われる必要があるので、各別のモータにより駆動するようにしても良いが、コスト低減のため、図示の例のように、一つのモータＭ２を用い、モータＭ２と各送りローラＡ１，Ａ２の間にそれぞれ断続手段、例えば、電磁クラッチＣＬ１，ＣＬ２などを設けた構成とすることが良い。
【００１１】
これに限定されないが、以下の実施例では、めくりローラ４１  が中紙の正めくり（下頁を上頁方向にめくる場合のめくり）用めくりローラとして用いられ、めくりモータＭ２が正転される時にめくりローラ４１  がめくり方向に回転されるようにしてある。また、めくりローラ４２  が中紙の逆めくり（上頁を下頁方向にめくる場合のめくり）用めくりローラとして用いられ、めくりモータＭ２が逆転される時にめくりローラ４２  がめくり方向に回転されるようにしてある。
【００１２】
２組のめくりローラ４１  ，４２  の間における搬送面の上側には、その搬送面と平行に延びるガイド板５が昇降自在に備えられ、このガイド板５はソレノイドＳＯＬ１とそのプランジャに接続されたアーム６などからなる昇降駆動手段７に結合されている。ガイド板５は、搬送される通帳が２組のめくりローラ４１  ，４２  の間を円滑に移動するように案内するためのものである。そして、昇降駆動手段７は、ガイド板５を搬送面に近接した案内位置に下降させ、かつ、退避位置に上昇させてめくりローラ４１  ，４２  の間の搬送面を上方に開放させるためのものである。
【００１３】
また、２組のめくりローラ４１  ，４２  の間における搬送面の下側には、めくりローラ４１  の前方（挿入口側）からめくりローラ４２  の後方（挿入口と反対側）まで連続する固定ガイド５Ｆが設けられている（図２参照）。図１には、図面簡明化のため、固定ガイドの図示が省略されている。
【００１４】
搬送されてくる通帳をめくり領域の正確な位置に止めるタイミングを設定するため、通帳が基準位置に到達したことを検知するための検知器Ｓ２が、一例として、めくりローラ４１  の直前に設けられている。
【００１５】
さらに、各組のめくりローラ４１  ，４２  にそれぞれ対応して、次のような押えローラ昇降手段８１  ，８２  及び頁押え手段９１  ，９２  が備えられている。
すなわち、めくりローラ４１  ，４２  の押えローラＢ１，Ｂ２には、これをそれぞれ送りローラＡ１，Ａ２に押圧又は離間させるための押えローラ昇降手段８１  ，８２  が結合されている。押えローラ昇降手段８１  は、ソレノイドＳＯＬ２と、そのプランジャに接続された連結部材１０と、一端部の支点１１で揺動自在に支持され、中間部に前記連結部材１０が枢支され、他端部で押えローラＢ１の軸を支持しているアーム１２とからなっている。そして、ソレノイドＳＯＬ２がＯＦＦの状態にある通常時は、アーム１２が図示を省略された付勢部材により常に上向きに付勢されていることにより、押えローラＢ１が送りローラＡ１に押圧接触する状態に保持されている。これに対して、ソレノイドＳＯＬ２がＯＮされた時は、押えローラＢ１が送りローラＡ１から下方に移動して離間されるようになっている。
押えローラ昇降手段８２  も同様に、ソレノイドＳＯＬ３，連結部材１０、支点１１、アーム１２で構成され、押えローラ昇降手段８１  と対称に配置されており、ＳＯＬ３のＯＮ／ＯＦＦにより同様の作用をする。
【００１６】
また、めくりローラ４１  の送りローラＡ１の前方至近位置、及び、めくりローラ４２  の送りローラＡ２の後方至近位置には、それぞれ頁押え手段９１  ，９２  が設けられている。頁押え手段９１  は、搬送面の上側において中間の支点で揺動自在に支持された頁押え部材１３と、その頁押え部材の後端部の上方に設けられた駆動手段としてのソレノイドＳＯＬ４と、そのソレノイドのプランジャに接続され、頁押え部材１３の後端部に枢支された連結部材１４とからなっている。そして、ソレノイドＳＯＬ４がＯＦＦの状態にある通常時は、頁押え部材１３が水平状態になり、搬送面から上方に離間された退避位置に保持されている。ソレノイドＳＯＬ４がＯＮされたときは、頁押え部材１３が回動されて、その前端部が搬送面を押圧する押え位置に移動されるようになっている。
頁押え手段９２  も同様に、ソレノイドＳＯＬ５、頁押え部材１３、連結部材１４で構成され、頁押え手段９１  と対称に配置されており、ＳＯＬ５のＯＮ／ＯＦＦにより同様の作用をする。
【００１７】
上記検知器Ｓ１，Ｓ２、搬送モータＭ１、めくりモータＭ２、電磁クラッチＣＬ１  ，ＣＬ  ２、昇降駆動手段７のソレノイドＳＯＬ１、押えローラ昇降手段８１  ，８２  のソレノイドＳＯＬ２，ＳＯＬ３、及び頁押え手段のソレノイドＳＯＬ４，ＳＯＬ５は、図１の下側に示すように、インタフェース１５を介してＣＰＵで構成されている制御部１６に接続されている。
制御部１６には、プログラム及び制御データを格納した記憶部１７も接続されている。制御データは後述される搬送制御及び頁めくり動作制御のためのステップ数や待ち時間や扱き回数等を含む。上記プログラムは、通帳に対する搬送及びめくり動作をするための後述される制御を行うためのものである。これらのプログラムを実行する制御部１６が通帳めくり動作を行う制御手段を構成している。扱き回数とは、後述されるように、めくられるべき頁（以下、めくり頁という。）の膨らませを行う際のめくりローラの僅かな正転と逆転、又はその繰り返しにより、重なっている複数枚の中紙のうち、２枚目以降を分離する動作の正転と逆転の組合わせ動作（扱き）の回数を意味する。
扱き回数は、入力部から入力して、記憶部１７に設定することができ、通帳めくり機構が稼働される際に、記憶部１７から読み出されて制御部１６のＣＰＵで構成されるダウンカウンタを用いる扱きカウンタにセットされるようになっている。ダウンカウンタは所定ステップの正転と所定ステップの逆転の組合わせを１回終了するたびに、セットされた値から１を減ずるように構成されている。
【００１８】
中紙めくり制御には、めくり方向により、正めくりと逆めくりの２つのモードがある。図示を省略したが、正めくりモードと逆めくりモードを選択するための入力部が図２のインタフェース１５に接続され、記憶部１７に、上述のように、正めくりモードと逆めくりモードのそれぞれに対応するシーケンス制御を規定するプログラムが格納されており、前記入力部で選択されたモードに対応するプログラムが読み出されて実行される。
そして、中紙めくりを行う場合は、正めくりモードと逆めくりモードのいずれの場合も、めくり頁を膨らませるためのルーチンにおいて、通帳の頁めくり方向と逆方向の端部を挾持する組（第１組）のめくりローラのめくり方向回転及び逆方向回転をこの順序で少なくとも１回、好ましくは複数回行うようにプログラムが設定されている。さらに、その場合、めくり方向の回転量が逆方向の回転量よりも大きくなるように、所定のステップ数が設定されていて、記憶部１７に格納されている。また、膨らまされた頁を跳ね上げるためのルーチンにおいて、第１組のめくりローラをめくり方向回転及び逆方向回転をこの順序で１回行うようにプロクラムが設定され、その場合、めくり方向の回転量と逆方向の回転量が等しいステップ数に設定されて、記憶部１７に格納されている。
【００１９】
続いて、上記構成による通帳めくり動作を、中紙正めくりが指定された場合について、図２ないし図６に基づいて説明する。
図２は通帳の中紙正めくりの場合のハードウェア構成の動作説明図、図３ないし図５は制御部による中紙の正めくり制御動作の一部を説明するフローチャートであって、図３は挿入された通帳を頁めくり領域まで取込むための制御動作、図４は取込まれた通帳の中紙正めくりをするための制御動作、図５は頁めくり後の通帳を排出するための制御動作をそれぞれ説明するフローチャートである。図６は同じく中紙正めくりの場合のタイミングチャートである。
【００２０】
通帳Ｍは、見開き状態で、上頁を吸入方向（機内方向）に、下頁を排出方向（挿入口方向）に向けて挿入される。正めくりモードが指定された時は、その通帳について、頁めくりにより何頁目を見開きにするかを指定する指定頁数データが入力部から又は上位装置から制御部１６に与えられる。
入力部において正めくりモードが指定されると、制御部１６は検知器Ｓ１からの出力信号を監視して、挿入排出口１からの通帳の挿入を待機する（ｐ１０１）。そして、通帳の挿入を検知すると（ｐ１０１においてＹ）、搬送モータＭ１及びめくりモータＭ２を正転起動させ、通帳が基準位置に到達したか否かを検知するための検知器Ｓ２から通帳検知信号を入力するまで、その通帳を機内に搬送する（ｐ１０２）。検知器Ｓ２からの検知信号の有無により、搬送エラーの有無を判断し（ｐ１０３）、検知信号がないために搬送エラーと判断したときは、検知器Ｓ１，Ｓ２が通帳を検知しているか否かを調べ（ｐ１０４でＹ）、いずれも検知していない時はステップｐ１０１に戻り、検知器Ｓ１，Ｓ２がともに通帳を検知している時（ｐ１０４でＮ）は、エラー状態をセーブして（ｐ１０５）、通帳取込みのためのプログラムの実行を終了する。
【００２１】
これに対して、ステップ１０３において搬送エラーと判断しないときは、クラッチＣＬ１，ＣＬ２を同時にＯＮして（ｐ１０６）、めくりローラ４1 ，４2 を正転させて、搬送モータＭ２のステップ管理においてステップ数が所定値（Ｎ１）になるまで、取込まれた通帳をさらに機内方向に搬送させ、搬送ステップ数がＮ１になった時に、すなわち、正めくりの場合は、通帳のめくり頁の端部が第１組のめくりローラ４1 に挾持され、かつ、その通帳の綴じ目付近が第２組のめくりローラ４2 に挟持される状態になるまで搬送して、両搬送モータＭ１，Ｍ２を停止し（ｐ１０７）、引き続き、電磁クラッチＣＬ２をＯＦＦして、第２組のめくりローラ４2 に回転力が与えられないようにする（ｐ１０８）。図２（ａ）はこの状態を示している。
【００２２】
続いて、ガイド板昇降駆動手段７のソレノイドＳＯＬ１及び第２組のめくりローラ４2 に対応する頁押え手段９2 のソレノイドＳＯＬ５をＯＮして、ガイド板５を退避位置に移動させるとともに、頁押え手段９2 の頁押え部材１３を搬送面を押圧する位置まで回動させて通帳の上頁側を押さえた（ｐ１０５）状態で、通帳取込みのための制御を終了し、図４に示すような、中紙正めくりのための制御が開始される。
【００２３】
すなわち、まず、両めくりローラ用回転駆動手段のクラッチＣＬ１，ＣＬ２を瞬時ＯＮした（ｐ２０１）後、第２組のめくりローラ４２  に対応するクラッチＣＬ２をＯＦＦして、このローラを通帳抑止ローラとさせる（ｐ２０２）とともに、第１組のめくりローラ４１  に対応する押えローラ昇降手段８１  のソレノイドＳＯＬ２をＯＮして（ｐ２０３）、押えローラＢ１を送りローラＡ１から離間させ、第１組のめくりローラ４１  のニップ開放状態を所定時間ｔ１、例えば５００ｍｓ、維持する（ｐ２０４）。
この押えローラの離間動作は、後述される膨らませ制御が指定された頁数のめくり動作を終了するまで反復して行われるが、前頁のめくり動作終了時に、めくり頁側が膨らんでいる場合に、通帳に対する押圧を一時解除して、その膨らみを消滅させるために行われる。
【００２４】
当初の膨らみ消滅のための所定時間（ｔ１）のニップ開放後は、ソレノイドＳＯＬ２をＯＦＦして前記ニップを閉じる（ｐ２０５）。次のステップ２０６において、微小時間ｔ２、例えば２０ｍｓ、ソレノイドＳＯＬ２の動作による機械的振動が治まるまで待機した後、記憶部１６に記憶させてある扱き回数のデータ（“５”）を読出して、扱きカウンタにセットする（ｐ２０７）。図の例では、扱き回数が５回である。
【００２５】
続いて、めくりモータＭ２が予め記憶部１７に設定されている扱きのための正転ステップ数Ｎ２、図示の例では２０ステップ正転させ（ｐ２０８）｛図２（ｂ１）参照｝、搬送による通帳の振動が治まるための微小時間ｔ３、例えば５０ｍｓ待った後（ｐ２０９）、同じく扱きのための逆転ステップ数Ｎ３、例えば１０ステップ逆転させ（ｐ２１０）｛図２（ｂ２）参照｝、その後同様の微小時間ｔ４、例えば５０ｍｓ待つ（ｐ２１１）。
次に、扱きカウンタのカウント値が“０”になったか否か、すなわち、扱き動作回数が所定回数に達し他か否かを判定し（ｐ２１２）、“０”になっていない場合は“１”を減じて（ｐ２１３）、“０”になるまでステップ２０８からステップ２１１までの動作を繰り返す。図示の例では、図２（ｂ１）（ｂ２），（ｂ１）…のように、扱き動作が５回行われる（図６参照）。
【００２６】
この動作において正転ステップ数Ｎ２は逆転ステップ数Ｎ３の一例として２倍に設定されているので、送りローラＡ１と押えローラＢ１の間に押圧されている頁のうち送りローラＡ１に接触しているめくり頁は、所定量の吸入方向の移動とその半量の排出方向の移動を繰り返されて、徐々に膨らまされると同時にめくり頁に対する扱き動作がなされ、最上のめくり頁に追従する２枚目以上の頁は、最上のめくり頁から分離され、最上のめくり頁のみが膨らまされた状態で残る。
【００２７】
そして、扱きカウンタの値が０になる（ｐ２１２でＹ）と、扱き動作が落ち着くまでの微小時間ｔ５、例えば５０ｍｓ待ち（ｐ２１４）、その後、ソレノイドＳＯＬ２をＯＮして、前記押えローラＢ１を送りローラＡ１から離間し（ｐ２１５）、その離間動作による振動が治まるまで、所定時間ｔ６、例えば５０ｍｓ待った後（ｐ２１６）、ソレノイドＳＯＬ２を再びＯＦＦする（ｐ２１７）。
ｐ２１５の押えローラの離間は、扱き動作によってもまだめくり頁に重なっている余分な頁がある場合に、中紙の弾性復元力により落下できるようにするためである。
【００２８】
次に、めくりモータＭ２を所要回転量Ｎ４、例えば１４ステップ正転させて、１枚だけ残って膨らまされている頁をさらに十分膨らませ（ｐ２１８）た後、ソレノイドＳＯＬ２及びＳＯＬ４をＯＮして、第１組のめくりローラ４１  に対応する押えローラＢ１を送りローラＡ１から離間し、かつ、頁押え手段９１  の押え部材１３を通帳に押圧させる（ｐ２１９）。また、その後、微小時間ｔ７、例えば５０ｍｓ待機して、ソレノイドの動作による振動が治まるのを待つ（ｐ２２０）。これにより、膨らまされた頁を跳ね上げるための準備がなされる。換言すると、ステップ２０７からステップ２２０までが、膨らませ制御を構成している（図６参照）。
【００２９】
続いて、跳ね上げ制御の一部として、めくりモータＭ２を所定回転量Ｎ５、すなわち、膨らまさせた頁をその後端部が第１組のめくりローラの送りローラＡ１の上方に伸張させるに必要な回転量、例えば１００ステップ正転（ｐ２２１）させた後、所定時間ｔ８、例えば２００ｍｓ待機させる（ｐ２２２）。この第１組のめくりローラ４1 が静止している時間ｔ８の間に、膨らませ制御においてめくり頁に重なっていることがある余分な頁が自重により落下することが期待される。その後、ソレノイドＳＯＬ４をＯＦＦして第１組のめくりローラ４1 に対応する頁押え手段９1 の押え部材１３の通帳への押圧を解除し（ｐ２２３）、今度は、めくりモータＭ２を前記正転時と等しい回転量Ｎ６、例えば１００ステップ逆転させる（ｐ２２４）。自重により落下せずに最上の頁に付着している頁がある場合は、その頁は、このめくりモータＭ２の逆転による送りローラＡ１の逆転により確実に分離されて、搬送面側まで戻される。そして、逆転停止後の落ち着きを得るため、所定時間ｔ９、例えば５０ｍｓ待機する（ｐ２２５）。
【００３０】
上記のように、めくり頁の膨らませの後の、押えローラＢ１開放の下における第１組のめくりローラ４１  の所定量の正転及び逆転による、いわば揺さぶりにより、万一、膨らませ制御においてめくり頁に重なっていることがある余分な頁は確実に分離されて搬送面至近まで戻される。
時間ｔ９の待機後、引き続き、第１組のめくりローラ４１  に対応する頁押え手段９１  のソレノイドＳＯＬ４をＯＮして、頁押え部材１３が通帳の後端部を搬送面に押え（ｐ２２６）、めくりローラ４１  の次のめくり方向の回転時に最上の頁以外の頁が跳ね上げられるのを防止した状態で、１枚に分離されためくり頁が跳ね上げられるに必要な所定ステップ数Ｎ７、例えば３３６ステップ正回転し（ｐ２２７）、これにより、先の扱きと揺さぶりにより分離された１枚の膨らまされためくり頁のみがめくりローラ４１  の送りローラＡ１の上方に跳ね上げられる｛図２（ｃ）参照｝。
【００３１】
跳ね上げ動作が終了すると、第１組のめくりローラ４１  に対応する頁押え手段９１  のソレノイドＳＯＬ２及び押えローラ昇降手段８１  のＳＯＬ４をともにＯＦＦし、頁押え部材１３を上昇復帰させ、かつ、押えローラＢ１を送りローラＡ１から離間させる（ｐ２２８）。そして、クラッチＣＬ１，ＣＬ２をともにＯＦＦして（ｐ２２９）、中紙正めくりの制御を終了する。
【００３２】
以上は、１頁のめくり動作を終了するまでの動作である。指定されためくり頁数が複数頁の場合は、ステップ２２９からステップ２０１に戻り、最終頁のめくり終了まで、上述と同様に、ステップ２０１から２２９までの制御が繰り返される。
【００３３】
そして、所定頁までめくられた通帳に対して、図示されていない印字部及び／又は磁気記録部により所定の印字処理や磁気記録処理が終了すると、その終了信号に基づき、この通帳を挿入口１から機外に排出するため、図５に示すような排出制御が実行される。
すなわち、第２組のめくりローラ４2 に対応する頁押え手段９2 のソレノイドＳＯＬ５をＯＦＦして押え部材１３の押圧作用を解除するとともに、クラッチＣＬ２をＯＮし（ｐ３０１）、ガイド板昇降手段のソレノイドＳＯＬ１をＯＦＦして（ｐ３０２）、それまで退避位置に上昇されていたガイド板５を搬送面に近い案内位置に下降させた後、めくりモータＭ２及び搬送モータＭ１を所定時間、すなわち、通帳が挿入口１に排出されるまで逆転させて、通帳を排出する。
【００３４】
上記実施例では、最良の実施の態様として、膨らませ制御と跳ね上げ制御の双方を実行した。これは、１台の通帳処理装置に中紙の紙質（腰の強弱）が異なる複数種類の通帳を処理する場合に有効であり、複数枚めくりが確実に防止される効果がある。しかし、１台の通帳処理装置で処理される通帳の種類が少ない場合、それらの通帳の中紙の紙質によっては、常に膨らませ制御と跳ね上げ制御の双方を行う必要はなく、その一方のみを行うことによっても、複数枚めくりが防止される場合がある。従って、本発明は、制御手段が膨らませ制御と跳ね上げ制御の一方のみを行うように構成した実施の形態をも含むものである。
【００３５】
また、上述した実施例は、中紙正めくりの場合の制御の一例である。中紙逆めくりモードが選択された場合に、前記制御部１６が前記記憶部１７から読出して実行するプログラムによる取込み制御、中紙逆めくり制御及び排出制御の動作は、図７ないし図９に例示するようなものとなる。
なお、逆めくりの場合は、通帳のめくり方向と反対側の端部を挾持するめくりローラ４２  が第１組のめくりローラとなり、通帳の綴じ目付近を挾持するめくりローラ４１  が第２組のめくりローラとなる。
【００３６】
【発明の効果】
以上に説明したように、請求項１の発明によれば、第１組の搬送兼めくりローラのめくり方向の回転と反対方向の回転を少なくとも１回、好ましくは複数回行って、言わば扱きをするため、めくり頁に付着する他の頁がめくり頁からよく分離されるので、複数枚めくりが有効に防止される。
【００３７】
請求項２の発明によれば、通帳のめくり頁の膨らませの際は、第１組の搬送兼めくりローラがめくり方向にのみ所定量回転され、通帳のめくり頁の跳ね上げをする際に、第１組の搬送兼めくりローラのめくり方向回転及び逆方向回転とを等回転量ずつ行うので、複数枚が膨らませられた場合に、２枚目以上の中紙は第１組の搬送兼めくりローラの方向に戻されるから、複数枚めくりが有効に防止される。
【００３８】
請求項３の発明によれば、通帳のめくり頁の膨らませを行う際は第１組の搬送兼めくりローラをめくり方向の回転量が逆方向の回転量よりも大きくなるように、めくり方向回転及び逆方向回転を少なくとも１回行い、かつ、めくられた頁を跳ね上げる際は、第１組の搬送兼めくりローラのめくり方向回転及び逆方向回転とを等回転量ずつ行うようにしたので、膨らませる際は扱き動作により２枚目以上の中紙が分離され、また、跳ね上げる際は２枚目以上の膨らませられた場合の中紙が第１組の搬送兼めくりローラの方向に戻されるから、複数枚めくりが一層確実に防止される。
【図面の簡単な説明】
【図１】本発明の通帳処理装置の要部の構成を概略的に示す構成図。
【図２】同装置の通帳めくり機構による中紙正めくり動作の説明図。
【図３】中紙正めくりモードを指定された場合の制御部による制御動作のうち、通帳取込みを説明するフローチャート。
【図４】同じく、制御動作のうち、中紙正めくりを説明するフローチャート。
【図５】同じく、制御動作のうち、通帳排出を説明するフローチャート。
【図６】中紙めくり制御動作のタイミングチャートである。
【図７】中紙逆めくりモードを指定された場合の制御部による制御動作のうち、通帳取込みを説明するフローチャート。
【図８】同じく、制御動作のうち、中紙逆めくりを説明するフローチャート。
【図９】同じく、制御動作のうち、通帳排出を説明するフローチャート。
【図１０】先の提案に係る通帳処理装置におけるめくり動作の説明図。
【符号の説明】
Ｍ２，ＣＬ１，ＣＬ２    回転駆動手段
４1 ，４2   搬送兼めくりローラ（めくりローラ）
Ａ１，Ａ２  送りローラ
Ｂ１，Ｂ２  押えローラ
８1 ，８2   押えローラ昇降手段
９1 ，９2   頁押え手段
１６        制御部
１７        記憶部
【図１】
0003569445.tif 000002
【図２】
0003569445.tif 000003
【図３】
0003569445.tif 000004
【図４】
0003569445.tif 000005
【図５】
0003569445.tif 000006
【図６】
0003569445.tif 000007
【図７】
0003569445.tif 000008
【図８】
0003569445.tif 000009
【図９】
0003569445.tif 000010
【図１０】
0003569445.tif 000011